(57)【要約】【課題】酸素富化空気を吐出する吐出部を設けた頭部保持部がズレにくく、安全で、使用勝手の良い酸素富化機を提供する。【解決手段】本体１に内蔵され酸素富化空気を発生させる酸素富化手段２と、前記酸素富化手段２で得られた酸素富化空気を前記本体１外に吐出する吐出口部６と、使用者の頭部で保持されると共に回動自在の中継部１３と前記酸素富化空気を吐出する吐出部７を有する頭部保持部８と、前記中継部１３に設けられ前記吐出口部６とチューブ９を介して接続されるチューブ保持部１５と、前記中継部１３と前記吐出部７をつなぐ連結管１４とを備え、前記チューブ保持部１５を前記中継部１３の回動中心に位置させたもので、横になったり、寝たりしても、チューブ９の曲がることによる反発が抑えられ、頭部保持部８がズレにくく使用勝手の良い酸素富化機を提供することができる。【選択図】図１
2007000252.tif 000002
【特許請求の範囲】
【請求項１】
本体に内蔵され酸素富化空気を発生させる酸素富化手段と、前記酸素富化手段で得られた酸素富化空気を前記本体外に吐出する吐出口部と、使用者の頭部で保持されると共に回動自在の中継部と前記酸素富化空気を吐出する吐出部を有する頭部保持部と、前記中継部に設けられ前記吐出口部とチューブを介して接続されるチューブ保持部と、前記中継部と前記吐出部をつなぐ連結管とを備え、前記チューブ保持部を前記中継部の回動中心に位置させた酸素富化機。
【請求項２】
本体に内蔵され酸素富化空気を発生させる酸素富化手段と、前記酸素富化手段で得られた酸素富化空気を前記本体外に吐出する吐出口部と、使用者の頭部で保持されると共に回動自在の中継部と前記酸素富化空気を吐出する吐出部を有する頭部保持部と、前記中継部に回動自在に設けられ前記吐出口部とチューブを介して接続されるチューブ保持部と、前記中継部に設けられ前記吐出部と連結管を介して接続される連結管保持部を備えた酸素富化機。
【請求項３】
チューブの表面に摩擦抵抗の小さい材料でコーティングを施した請求項１又は２に記載の酸素富化機。
【請求項４】
チューブの表面に放射状のリブを設けた請求項１〜３のいずれか１項に記載の酸素富化機。
【請求項５】
吐出部を軟質材で形成した請求項１〜４のいずれか１項に記載の酸素富化機。
【請求項６】
吐出部を軟質材からなるカバーで覆うようにした請求項１〜５のいずれか１項に記載の酸素富化機。
【請求項７】
頭部保持部に、使用者の一方の耳の上部にかける耳引っ掛け部と、その耳の耳たぶを挟む耳はさみ部を設けた請求項１〜６のいずれか１項に記載の酸素富化機。
【請求項８】
頭部保持部を低反発のウレタンで形成し、その内部に連結管を通し、中継部と吐出部を前記頭部保持部の表面に配した請求項１〜７のいずれか１項に記載の酸素富化機。
【請求項９】
頭部保持部の内部に発泡スチロールのビーズを収納し、外側を拭くことが可能な布材にて構成し、その内部に連結管を通し、中継部と吐出部を前記布材の表面に配した請求項１〜６のいずれか１項に記載の酸素富化機。
【請求項１０】
頭部保持部に、使用者の頭部にそれを保持するための伸縮性に富んだ伸縮部材を設け、吐出部を、酸素富化空気が頭部中央より鼻部の方に吐出するように配置した請求項１〜６のいずれか１項に記載の酸素富化機。
【請求項１１】
頭部保持部に使用者の両耳に引っ掛ける耳掛け部を形成して、前記頭部保持部をマスク状に形成した請求項１〜６のいずれか１項に記載の酸素富化機。
【発明の詳細な説明】
【技術分野】
【０００１】
本発明は、酸素富化手段を用いて得られる所謂酸素富化空気を使用者に提供する酸素富化機に関するもので、特に、酸素富化空気を吐出する吐出部を備え、使用者の頭部に装着される頭部保持部に関するものである。
【背景技術】
【０００２】
従来の酸素富化機として、酸素の透過速度が窒素の透過速度より早い酸素富化膜と、前記酸素富化膜を通して大気を吸引する吸引ポンプと、前記吸引ポンプに連通し前記酸素富化膜通過後の酸素富化空気を放出する吐出口部と、使用者の頭部に装着される頭部保持部とを備え、前記頭部保持部は、チューブ保持部を有する中継部と、前記チューブ保持部に連結管を介して接続され酸素富化空気を使用者の口元に吐出する吐出部と、前記チューブ保持部と前記吐出口部とを連結するチューブを備え、前記吐出部より使用者に酸素富化空気を提供するようにしたものがある（例えば、特許文献１参照）。
【特許文献１】特開２００４−１３６２３２号公報
【発明の開示】
【発明が解決しようとする課題】
【０００３】
しかしながら、上記従来の酸素富化機の構成では、頭部保持部の中継部のチューブ保持部と連結管でつながった吐出部は一定の角度を保っており、通常の使用では、中継部から下方に酸素富化機にチューブがつながり使用には問題ないが、横になったり、寝たりするとこのチューブの曲がりによる反発力により頭部保持部がずれ、せっかく口元にセットした吐出部がずれたり、衣類にチューブが触れている時に顔を動かすと、チューブ自体が軟質材料で形成されているので、衣類の表面で滑りにくく、頭部保持部がずれてしまうという課題があった。
【０００４】
また、頭部形状は人それぞれであり、頭部保持部の形状が使用者によってはフィットしなかったり、一般に硬い樹脂などで形成された吐出部が、使用者が寝返り等したときに顔に当たるなどして、使い勝手が悪いという課題があった。
【０００５】
本発明は、頭部に装着した頭部保持部が容易にズレることが無く、安全で、使用勝手の良い酸素富化機を提供することを目的とする。
【課題を解決するための手段】
【０００６】
前記従来の課題を解決するために、本発明の酸素富化機は、本体に内蔵され酸素富化空気を発生させる酸素富化手段と、前記酸素富化手段で得られた酸素富化空気を前記本体外に吐出する吐出口部と、使用者の頭部で保持されると共に回動自在の中継部と前記酸素富化空気を吐出する吐出部を有する頭部保持部と、前記中継部に設けられ前記吐出口部とチューブを介して接続されるチューブ保持部と、前記中継部と前記吐出部をつなぐ連結管とを備え、前記チューブ保持部を前記中継部の回動中心に位置させたもので、横になったり、寝たりしても、チューブの曲がることによる反発が抑えられ、頭部保持部がズレにくく使用勝手の良い酸素富化機を提供することができる。
【０００７】
また、本発明の酸素富化機は、本体に内蔵され酸素富化空気を発生させる酸素富化手段と、前記酸素富化手段で得られた酸素富化空気を前記本体外に吐出する吐出口部と、使用者の頭部で保持されると共に回動自在の中継部と前記酸素富化空気を吐出する吐出部を有する頭部保持部と、前記中継部に回動自在に設けられ前記吐出口部とチューブを介して接続されるチューブ保持部と、前記中継部に設けられ前記吐出部と連結管を介して接続される連結管保持部を備えたもので、チューブ保持部と回動自在の中継部に設けた連結管保持部の両方が回動自在なので、横になったり、寝たりしても、チューブの曲がることによる反発が抑えられ、頭部保持部がズレにくく、使用勝手の良い酸素富化機を提供することができる。
【発明の効果】
【０００８】
本発明の酸素富化機は、頭部に装着した頭部保持部がズレにくく、安全で、使用勝手のい良いものである。
【発明を実施するための最良の形態】
【０００９】
第１の発明は、本体に内蔵され酸素富化空気を発生させる酸素富化手段と、前記酸素富化手段で得られた酸素富化空気を前記本体外に吐出する吐出口部と、使用者の頭部で保持されると共に回動自在の中継部と前記酸素富化空気を吐出する吐出部を有する頭部保持部と、前記中継部に設けられ前記吐出口部とチューブを介して接続されるチューブ保持部と、前記中継部と前記吐出部をつなぐ連結管とを備え、前記チューブ保持部を前記中継部の回動中心に位置させたもので、横になったり、寝たりしても、チューブの曲がることによる反発が抑えられ、頭部保持部がズレにくく使用勝手の良い酸素富化機を提供することができる。
【００１０】
第２の発明は、本体に内蔵され酸素富化空気を発生させる酸素富化手段と、前記酸素富化手段で得られた酸素富化空気を前記本体外に吐出する吐出口部と、使用者の頭部で保持されると共に回動自在の中継部と前記酸素富化空気を吐出する吐出部を有する頭部保持部と、前記中継部に回動自在に設けられ前記吐出口部とチューブを介して接続されるチューブ保持部と、前記中継部に設けられ前記吐出部と連結管を介して接続される連結管保持部を備えたもので、チューブ保持部と回動自在の中継部に設けた連結管保持部の両方が回動自在なので、横になったり、寝たりしても、チューブの曲がることによる反発が抑えられ、頭部保持部がズレにくく、使用勝手の良い酸素富化機を提供することができる。
【００１１】
第３の発明は、特に、第１又は第２の発明のチューブの表面に摩擦抵抗の小さい材料でコーティングを施したもので、頭部や体が動いたときにチューブが衣類の上で止まることなく滑るので、頭部保持部がズレにくい酸素富化機を提供することができる。
【００１２】
第４の発明は、特に、第１〜３のいずれか一つの発明のチューブの表面に放射状のリブを設けたもので、チューブが衣類や障害物に当たってもリブの先端が当たるだけで摩擦抵抗が小さいので、頭部や体が動いたときに、チューブが衣類や障害物の表面で留まることなく滑り、頭部保持部がズレにくい酸素富化機を提供することができる。
【００１３】
第５の発明は、特に、第１〜４のいずれか一つの発明の吐出部を軟質材で形成したもので、横になったり、寝た時に、万一吐出部が顔に当たっても痛くなく、安全な酸素富化機を提供することができる。
【００１４】
第６の発明は、特に、第１〜５のいずれか一つの発明の吐出部を軟質材からなるカバーで覆うようにしたもので、横になったり、寝たときに、万一吐出部が顔に当たっても痛くない安全な酸素富化機を提供することができる。
【００１５】
第７の発明は、特に、第１〜６のいずれか一つの発明の頭部保持部に、使用者の一方の耳の上部にかける耳引っ掛け部と、その耳の耳たぶを挟む耳はさみ部を設けたもので、頭部保持部が頭の上の部分より動きの少ない耳に取り付けられ、さらに頭部保持部が耳の上部と耳たぶの少なくとも２箇所で固定されるので、頭部保持部が一層ズレにくくなり、きわめて使用勝手の良い酸素富化機を提供することができる。
【００１６】
第８の発明は、特に、第１〜７のいずれか一つの発明の頭部保持部を低反発のウレタンで形成し、その内部に連結管を通し、中継部と吐出部を前記頭部保持部の表面に配したもので、頭部保持部が柔軟性を有するようになるので、頭部や首に巻きつけて使用することができ、又、横になったり、寝たときにもズレにくく、また、頭部保持部を枕代わりにすることもでき気持ちのよい酸素富化機を提供することができる。
【００１７】
第９の発明は、特に、第１〜６のいずれか一つの発明の頭部保持部の内部に発泡スチロールのビーズを収納し、外側を拭くことが可能な布材にて構成し、その内部に連結管を通し、中継部と吐出部を前記布材の表面に配したもので、頭部保持部が柔軟性を有するようになるので、頭部や首に巻きつけて使用することができ、横になったり、寝たときにズレにくく、また、頭部保持部を枕代わりにすることもでき気持ちのよい酸素富化機を提供することができる。
【００１８】
第１０の発明は、特に、第１〜６のいずれか一つの発明の頭部保持部に、使用者の頭部にそれを保持するための伸縮性に富んだ伸縮部材を設け、吐出部を、酸素富化空気が頭部中央より鼻部の方に吐出するように配置したもので、伸縮部材で頭部保持部が使用者の頭部にしっかりと装着され、横になったり、寝たときに、より一層ズレにくく、また酸素富化空気が目にも作用するようになり、使用勝手の良い酸素富化機を提供することができる。
【００１９】
第１１の発明は、特に、第１〜６のいずれか一つの発明の頭部保持部に使用者の両耳に引っ掛ける耳掛け部を形成して、前記頭部保持部をマスク状に形成したもので、横になったり、寝たときにズレにくく、また、吐出部を頭部保持部の内方に向けて取り付けると酸素富化空気を有効に吸引することができる。
【００２０】
以下、本発明の実施の形態について、図面を参照しながら説明する。なお、この実施の形態によって本発明が限定されるものではない。
【００２１】
（実施の形態1）
図１は、本発明の第1の実施の形態における酸素富化機の全体構成を示す斜視図、図２は、同酸素富化機の頭部保持部の要部断面図である。
【００２２】
図１、２において、酸素富化機本体（以下、本体と称す）１の内部には、前記本体１内に吸引された空気の酸素の濃度を高め、所謂酸素富化空気を発生する酸素富化膜（図示せず）からなる酸素富化手段２を配設している。前記酸素富化手段２を通過することで空気の酸素濃度は、通過前の通常２１％（窒素約７９％）から、約３０％（窒素約７０％）まで高められる。
【００２３】
また、本体１の内部には、本体１の背面に設けた吸気口３から前記本体１内に外気を吸引する給排気手段１２が設けてあり、本体１内に吸引された外気は酸素富化手段２の外周に送られ、酸素富化手段２の酸素富化膜を通過することで酸素が少なくなった残りの空気は、給排気手段１２により本体１の側面に設けた排気口４から外部へと排出される。吸引手段５は、ポンプなどから構成され前記本体１内に吸引された空気の一部を、酸素富化手段２の酸素富化膜を通して吸引するもので、空気流路（図示せず）を介して本体１の側面に設けられた吐出口部６と連通されている。８は、使用者の頭部に装着される頭部保持部で、チューブ保持部１５を有する中継部１３と、酸素富化された空気を吐出する吐出部７とを備えている。
【００２４】
チューブ保持部１５と吐出口部６とはチューブ９で連結され、中継部１３と吐出部７は、連結管１４で連結されている。
【００２５】
１０は、制御手段で、給排気手段１２の反対側に位置しており本体１の操作部１１により操作設定された運転時間、運転状況を掴み通常は運転を行い、異常がある場合は、停止する等の制御を行う。
【００２６】
次に、図２を用いて、中継部１３の詳細な構成を説明する。
【００２７】
中継部１３は、バネ１６、座金１７を介して頭部保持部８にネジ１８にて回動自在に取り付けられている。中継部１３の略回転中心上にチューブ保持部１５が設けられ、それにチューブ９が接続される。また、中継部１３は、連結管１４の一端を保持しており、中継部１３内部でチューブ保持部１５と連通している。
【００２８】
以上のように構成された、本実施の形態における酸素富化機の動作、作用について説明する。
【００２９】
まず、酸素富化空気を吐出部７から出して使用者に供給するために、頭部保持部８を使用者の頭につけ、吐出部７を口の位置に調整する。この時に、連結管１４を動かすと従来は、連結管１４とチューブ保持部１５はある一定の角度を保った状態にあるため、連結管１４の動きに合わせて動き、引っかかったりすると連結管１４が動かないことがあったが、本実施の形態によれば、チューブ保持部１５が中継部１３の回動中心にあるため、チューブ９はねじれるだけで移動はなく、少々連結管１４を移動させてもチューブ９に移動無く、吐出部７の位置を調整しやすい。また、体を動かしたりしても、同様にチューブ９が動いても頭部保持部８ごと動かすことになり、連結管１４を動かす必要は無い。
【００３０】
以上のように、本実施の形態によれば、体を横にしたり、寝たときに、チューブ９が曲がることによる反発を抑え、頭部保持部８がズレにくく、使用勝手の良い酸素富化機を提供することができる。
【００３１】
尚、チューブ９の表面に摩擦抵抗を減じるようにコーティングを施せば、酸素富化空気を吸引する際に、チューブ９が衣服などにこすれても、摩擦抵抗が生じないので、チューブ９の追随性がよくなり、頭部の動き、体の動きでチューブ９が衣類の上で止まることなく滑り、頭部保持部８がよりズレにくくなるものである。
【００３２】
また、使用者の口元に位置し、酸素富化空気を吐出する吐出部７をシリコンゴム等の軟質材で形成すれば、横になったり、寝た時に万一吐出部７が顔等に当たっても痛い思いをせず、安全な酸素富化機を提供することができる。
【００３３】
或いは、図３に示すように、シリコンゴムや塩化ビニール等の軟質材で形成され、吐出部７に設けた酸素排出口７ａと対向する位置に穴２３を設けたカバー２２を吐出部７に被せて使うようにしてもよい。こうすることにより、横になったり、寝た時に吐出部７が万一顔に当たっても痛くなく、安全な酸素富化機を提供することができる。
【００３４】
（実施の形態２）
図４は、本発明の第2の実施の形態における酸素富化機の全体構成を示す斜視図、図５は、同酸素富化機の頭部保持部の要部断面図である。なお、上記第１の実施の形態における酸素富化機と同一部分については、同一符号を付してその説明を省略する。
【００３５】
本実施の形態は、頭部保持部８に、第２中継部１９を追加すると共に、その第２中継部１９と中継部１３とを一緒にして、バネ１６を介してネジ１８にて回動自在に取り付けたものである。中継部１３の内部には、チューブ９が接続されるチューブ保持部１５が回動自在に配されている。また、このチューブ保持部１５は中継部１３との間でエアータイトする必要があるため、Ｏリング２０を配している。中継部１３には、連結管１４が連結される連結管保持部１３ａが設けられ、中継部１３が回動すると連結管保持部１３ａも一緒に回動するようになっている。また、中継部１３内部で、連結管保持部１３ａとチューブ保持部１５とは連通している。
【００３６】
以上のように構成された本実施の形態における酸素富化機の動作、作用について説明する。
【００３７】
まず、酸素富化空気を吐出部７から出して吸引するために、頭部保持部８を頭につけ、吐出部７を口の位置に調整する。この際に、連結管１４を動かすと従来は、連結管１４とチューブ保持部１５はある一定の角度を保った状態にあるため、連結管１４の動きに合わせて動き、引っかかったりすると連結管１４が動かないことがあったが、本実施の形態では、チューブ保持部１５と中継部１３が基本的には一体でないので片方を動かしても他方は動かない構成になっている。チューブ保持部１５と中継部１３の両部品間の摩擦で多少引っ張られたりするが、両部品間の摺動抵抗を減じるようにグリス等の潤滑剤を塗布することにより、さらに動きが軽やかになると共に、一方の動きが他方に伝わりにくくなる。
【００３８】
以上のように本実施の形態によれば、体を横にしたり、寝た時にチューブ９の曲がることによる反発を抑え、頭部保持部８がズレにくく、使用勝手の良い酸素富化機を提供することができる。
【００３９】
（実施の形態３）
図６は、本発明の第３の実施の形態における酸素富化機のチューブの断面図である。なお、上記実施の形態における酸素富化機と同一部分については、同一符号を付してその説明を省略する。
【００４０】
本実施の形態は、図６に示すように、チューブ９の表面に放射状に伸びた複数のリブ２１を設けたもので、このリブ２１により、酸素富化空気を吸引する際に、チューブ９が衣服等にこすれても、チューブ９とその衣服との接触面積が小さいので摺動抵抗が極めて少ないので、チューブ９の追随性が大幅に向上する。
【００４１】
以上のように、本実施の形態によれば、チューブ９と衣服などとの摩擦抵抗が小さくなり、頭部や体が動いたときに、チューブ９が衣類の上でとどまることなく滑り、頭部保持部８がズレにくい酸素富化機を提供することができる。
【００４２】
（実施の形態４）
図７は、本発明の第４の実施の形態における酸素富化機の頭部保持部の斜視図である。なお、上記実施の形態における酸素富化機と同一部分については、同一符号を付してその説明を省略する。
【００４３】
上記実施の形態では、中継部１３を、使用者の頭にセットする頭部保持部８に設けたが、本実施の形態では、図７に示すように、頭部保持部２７は、耳に引っ掛ける耳引っ掛け部２５と、耳引っ掛け部２５の下方に位置し使用者の耳たぶを挟む耳はさみ部２４と、耳はさみ部２４を開くためのつまみ２６から構成され、それに、中継部１３とチューブ保持部１５とが一体的に形成されている。
【００４４】
頭部保持部２７を使用するときは、耳引っ掛け部２５を耳に引っ掛け、つまみ２６をつまんで、耳はさみ部２４を開き、耳たぶに当てて手を離すことで、耳はさみ部２４が耳たぶに保持される。耳たぶにつけて保持する場合は、軽量にして外れにくくする必要があり、中継部１３とチューブ保持部１５が一体になった形状となる。
【００４５】
上記構成により、頭部保持部２７が、耳引っ掛け部２５と耳はさみ部２４の２箇所で、使用者の耳に取り付けられるので、頭部の上部で保持する頭部保持部８に比べ、ずれにくくなり、使用勝手の良い酸素富化機を提供することができる。
【００４６】
（実施の形態５）
図８は、本発明の第５の実施の形態における酸素富化機の頭部保持部の平面図である。なお、上記実施の形態における酸素富化機と同一部分については、同一符号を付してその説明を省略する。
【００４７】
本実施の形態は、頭部保持部８を低反発のウレタンで形成し、その内部に連結管１４を通し、連結管１４の一端に、頭部保持部８の表面に配された中継部１３を、他端に同じく表面に配された吐出部７をそれぞれ一体成形で構成し、頭部保持部８を頭部及び首に巻きつけて使用するようにしたもので、寝ながら楽に吸引できると共に、横になったり、寝た時に頭部保持部材８がズレにくく、また、頭部保持部８を枕代わりにすることもでき、気持ちのよい酸素富化機を提供することができる。
【００４８】
又、頭部保持部材８を低反発のウレタンで形成する代わりに、外側を拭くことのできる布材で形成し、内部に、発泡スチロールの小さなビーズを詰め込んでも良く、そうすることにより、頭部保持部材８を使用するときの感触がよく、また、頭部や首への巻きつけが容易で使用勝手が良い。さらに、頭部保持部８の外側が拭くことのできる布材で形成されているので、整髪剤等が付いても容易に拭き取ることができるので、衛生的でまた、清潔感を向上させることができる。
【００４９】
（実施の形態６）
図９は、本発明の第６の実施の形態における酸素富化機の頭部保持部の斜視図である。なお、上記実施の形態における酸素富化機と同一部分については、同一符号を付してその説明を省略する。
【００５０】
本実施の形態における頭部保持部８は、図９に示すように、頭に巻けられるように略帯状に形成され、その両端はゴムバンドなどからなる伸縮部材２８で連結され、内部に連結管１４が収納され、連結管１４の一端に設けられチューブ９が接続される中継部１３が頭部保持部８の側部から露出している。又、連結管１４の他端と連通する吐出部７が、前方下方に酸素富化空気を吐出するように設けられている。
【００５１】
上記構成により、頭部保持部８が、使用者の頭に伸縮部材２８により確実に固定されるので、横になってもずれにくく、また、酸素富化空気が使用者の鼻に向かって吹き出されるため、目にも効果がある酸素富化機を提供することが出来る。
【００５２】
（実施の形態７）
図１０は、本発明の第７の実施の形態における酸素富化機の頭部保持部の正面図である。なお、上記実施の形態における酸素富化機と同一部分については、同一符号を付してその説明を省略する。
【００５３】
本実施の形態における頭部保持部８は、図１０に示すように、耳にかけられるマスク形状とし、通気性の良い材料からなるマスク部８ａと、マスク部８ａの両側に設けられ使用者の耳に引っ掛けられる耳掛け部８ｂと、酸素富化空気を送り込むチューブ９に接続される中継部１３と、中継部１３と連通するとともに、内面（顔の鼻がある側）に配された吐出部７とを備えたもので、耳に耳掛け部８ｂをかけるため横になってもずれにくくまた外れにくく、さらに酸素富化空気も、内側に（使用者側に）に吐出するので、すぐに他の空気と混ざらず、効率よく吸引することができる。また、マスク部８ａは通気性がよいため、つけたままでも、酸素欠乏になることも無い。
【産業上の利用可能性】
【００５４】
以上のように本発明にかかる酸素富化機は、寝て使用しても、頭部から頭部保持部がズレにくく、安全で、使用勝手の良いもので、使用者の頭部に装着するアクセサリーを有する各種機器に適用できる。
【図面の簡単な説明】
【００５５】
【図１】本発明の実施の形態１における酸素富化機の全体構成を示す斜視図
【図２】同酸素富化機の頭部保持部の要部断面図
【図３】他の頭部保持部の例を示す斜視図
【図４】本発明の実施の形態２における酸素富化機の全体構成を示す斜視図
【図５】同酸素富化機の頭部保持部の要部断面図
【図６】本発明の実施の形態３における酸素富化機のチューブの断面図
【図７】本発明の実施の形態４における酸素富化機の頭部保持部の斜視図
【図８】本発明の実施の形態５における酸素富化機の頭部保持部の平面図
【図９】本発明の実施の形態６における酸素富化機の頭部保持部の斜視図
【図１０】本発明の実施の形態７における酸素富化機の頭部保持部の正面図
【符号の説明】
【００５６】
１    酸素富化機本体（本体）
２    酸素富化手段
６    吐出口部
７    吐出部
８    頭部保持部
９    チューブ
１３  中継部
１４  連結管
１５  チューブ保持部
２１  リブ
２２  軟質体のカバー
２４  耳はさみ部
２８  伸縮部材
【図１】
2007000252.tif 000003
【図２】
2007000252.tif 000004
【図３】
2007000252.tif 000005
【図４】
2007000252.tif 000006
【図５】
2007000252.tif 000007
【図６】
2007000252.tif 000008
【図７】
2007000252.tif 000009
【図８】
2007000252.tif 000010
【図９】
2007000252.tif 000011
【図１０】
2007000252.tif 000012